(57)【要約】    【課題】      ＩＰ端末から呼接続要求されたＰＳＴＮ端末の電話番号が特定電話番号の場合、そのＩＰ端末が接続された拠点に設置されたＰＨＳゲートウェイ装置のＩＰアドレスからサブネットを算出し、このサブネットを利用して呼を接続すべきＰＳＴＮゲートウェイを決定して、ＩＰ端末と特定電話番号のＰＳＴＮ端末との間の呼接続を可能にすること。    【解決手段】  ＣＰＵ１０１は、例えば、ＴＣＰ／ＩＰ制御部１０４によりＰＨＳゲートウェイ２００から受信したＩＰアドレスに基づいて、ＰＨＳゲートウェイ２００のサブネットを算出する処理と、そのサブネットに対応する接続先のＰＳＴＮゲートウェイのＩＰアドレスをメモリ１０３に格納されたサブネットテーブル１０３１から決定して呼接続制御部１０２に出力する処理を実行する。  【選択図】      図２
2006033516.tif 000002
【特許請求の範囲】
【請求項１】
ＩＰ網に接続されたＩＰ端末から公衆回線網に接続されたＰＳＴＮ端末への呼接続要求に応じて呼を接続する呼接続管理装置であって、
特定電話番号を設定する特定番号設定手段と、
前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、
前記呼接続要求時に前記ＩＰ端末から送信される着信先の電話番号が前記特定番号設定手段に設定された特定電話番号か否かを判別する特定番号判別手段と、
前記着信先の電話番号が特定電話番号である場合、前記ＩＰ端末が接続された拠点のＩＰアドレスからサブネットを算出し、当該サブネットに基づいて呼を接続するＰＳＴＮゲートウェイ装置のＩＰアドレスを前記サブネット設定手段から決定する呼接続先決定手段と、
を具備することを特徴とする呼接続管理装置。
【請求項２】
ＩＰ網に接続されたＩＰ端末から公衆回線網に接続されたＰＳＴＮ端末への呼接続要求に応じて呼を接続するゲートキーパ装置であって、
特定電話番号を設定する特定番号設定手段と、
前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、
前記呼接続要求時に前記ＩＰ端末から送信される着信先の電話番号が前記特定番号設定手段に設定された特定電話番号か否かを判別する特定番号判別手段と、
前記着信先の電話番号が特定電話番号である場合、前記ＩＰ端末のＩＰアドレスからサブネットを算出し、当該サブネットに基づいて呼を接続するＰＳＴＮゲートウェイ装置のＩＰアドレスを前記サブネット設定手段から決定する呼接続先決定手段と、
を具備することを特徴とするゲートキーパ装置。
【請求項３】
前記ＩＰ端末は、無線基地局を収容するＰＨＳゲートウェイ装置が設置された複数の拠点を移動する移動端末であり、
前記呼接続先決定手段は、前記着信先の電話番号が特定電話番号である場合、前記ＩＰ端末が移動した拠点のＰＨＳゲートウェイ装置のＩＰアドレスからサブネットを算出し、当該サブネットに基づいて呼を接続するＰＳＴＮゲートウェイ装置のＩＰアドレスを前記サブネット設定手段から決定することを特徴とする請求項２記載のゲートキーパ装置。
【請求項４】
前記呼接続先決定手段は、前記着信先の電話番号が特定電話番号でない場合、前記ＩＰ端末のホーム拠点内のＰＳＴＮゲートウェイ装置のＩＰアドレスを呼の接続先として決定することを特徴とする請求項２記載のゲートキーパ装置。
【請求項５】
前記ＩＰ端末が接続された拠点に、ＩＰセントレックス網に接続するセントレックスゲートウェイ装置を設置し、
前記呼接続先決定手段は、前記着信先の電話番号が特定電話番号でない場合、前記セントレックスゲートウェイ装置のＩＰアドレスを呼の接続先として決定することを特徴とする請求項２記載のゲートキーパ装置。
【請求項６】
ＩＰ網に接続されたＩＰ端末から公衆回線網に接続されたＰＳＴＮ端末への呼接続要求に応じて呼を接続するとともに、ＩＰセントレックス網に接続するセントレックスゲートウェイ装置であって、
特定電話番号を設定する特定番号設定手段と、
前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、
前記呼接続要求時に前記ＩＰ端末から送信される着信先の電話番号が前記特定番号設定手段に設定された特定電話番号か否かを判別する特定番号判別手段と、
前記着信先の電話番号が特定電話番号である場合、前記ＩＰ端末のＩＰアドレスからサブネットを算出し、当該サブネットに基づいて呼を接続するＰＳＴＮゲートウェイ装置のＩＰアドレスを前記サブネット設定手段から決定する呼接続先決定手段と、
を具備することを特徴とするセントレックスゲートウェイ装置。
【請求項７】
前記呼接続先決定手段は、前記着信先の電話番号が特定電話番号でない場合、着信先の前記ＰＳＴＮ端末に接続可能な前記ＩＰセントレックス網内の拠点に設置されたＩＰセントレックスゲートウェイ装置のＩＰアドレスを呼の接続先として決定することを特徴とする請求項６記載のセントレックスゲートウェイ装置。
【発明の詳細な説明】
【技術分野】
【０００１】
本発明は、呼接続管理装置、ゲートキーパ装置及びセントレックスゲートウェイ装置に関し、ＩＰ端末と特定電話番号のＰＳＴＮ端末との間の呼接続を管理する呼接続管理装置、ゲートキーパ装置及びセントレックスゲートウェイ装置に関する。
【背景技術】
【０００２】
近時、通信事業者が企業向けに提供するＩＰ電話サービスとしてＩＰセントレックスが注目されている。このＩＰセントレックスは、通信事業者が共用型のＩＰ−ＰＢＸを利用して、ＩＰ電話を利用できる環境をアウトソーシングサービスによって企業に提供するものである。
【０００３】
企業は、ＩＰセントレックスを導入することにより、企業内にＩＰ−ＰＢＸを設置することを不要とし、遠隔地の支店間を内線化し、公衆回線網に接続された固定電話への通話料金を一律料金化するといった、ＩＰ電話システムの導入に伴う管理コストの低減と、通信コストの低減を実現する。
【０００４】
しかし、ＩＰ電話システムを導入した場合、ＩＰ電話から公衆回線網を介した特定の電話番号（以下、特定番号という）のＰＳＴＮ電話へは発信できないという制約がある。特定番号としては、例えば、緊急通報先である警察の「１１０」番や消防署の「１１９」番等がある。これらの特定番号に対して発信できない理由は、発信者の位置を特定することできない、その発呼を最寄りの管轄所のＰＳＴＮゲートウェイに接続することができない等である。
【０００５】
そこで、ＩＰ電話から「１１０」番や「１１９」番への緊急通報を実現するものとして、例えば、特許文献１に記載されたＩＰ電話システムがある。このＩＰ電話システムでは、ＩＰ電話は、自端末の所在地及び使用者を示す情報などからなる緊急通報用設定情報を含めた呼設定情報をＩＰネットワークを介してネットワーク間中継交換装置宛に送出し、ネットワーク間中継交換装置は、呼設定情報に含まれる緊急通報用設定情報を記憶保持し、ＩＰ電話と緊急通報先との間の通信路を接続する。そして、緊急通話先とＩＰ電話との間の緊急通報の通話途中で、過負荷等の理由でＩＰネットワークにおける通信路が切断された場合、ネットワーク間中継交換装置は、記憶している緊急通報用設定情報を音声に変換し、公衆電話網を介して緊急通報先に送るようにして、必要な情報が確実に緊急通報先に届くようにしている。
【特許文献１】特開２００４−１２０７１５号公報
【発明の開示】
【発明が解決しようとする課題】
【０００６】
しかしながら、上記特許文献１に記載されたＩＰ電話システムでは、緊急通報用設定情報を呼設定情報に設定する機能を有するＩＰ電話と、緊急通報用設定情報を記憶する機能及び緊急通報用設定情報を音声に変換する機能を有するネットワーク間中継交換装置が必要であり、特定番号への緊急通報を実現するＩＰ電話システムとしては特別な機器構成が必要となり、企業がシステムを導入する際のコストが上昇する。
【０００７】
このため、上記特許文献１に記載されたＩＰ電話システムを上記ＩＰセントレックス等に適用することは困難であり、ＩＰセントレックス等のＩＰ電話サービスの特徴であるコストメリットを生かしながら特定番号への発呼も実現するＩＰ電話システムが望まれる。
【０００８】
また、発信元のＩＰ電話がＰＨＳ（Personal Handyphone System）端末等の移動端末である場合は、移動端末は複数の拠点を移動するため、発信元の移動端末の位置を特定し、特定番号を管理する電話網に呼を接続することは更に困難である。このことは、上記特許文献１に記載されたＩＰ電話システムでも実現できない。
【０００９】
本発明はかかる点に鑑みてなされたものであり、ＩＰ端末から呼接続要求されたＰＳＴＮ端末の電話番号が特定電話番号の場合、そのＩＰ端末が接続された拠点のＩＰアドレスからサブネットを算出し、このサブネットを利用して呼を接続すべきＰＳＴＮゲートウェイを決定して、ＩＰ端末と特定電話番号のＰＳＴＮ端末との間の呼接続を可能にする呼接続管理装置、ゲートキーパ装置及びセントレックスゲートウェイ装置を提供することを目的とする。
【課題を解決するための手段】
【００１０】
本発明は、ＩＰ網に接続されたＩＰ端末から公衆回線網に接続されたＰＳＴＮ端末への呼接続要求に応じて呼を接続する呼接続管理装置であって、特定電話番号を設定する特定番号設定手段と、前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、前記呼接続要求時に前記ＩＰ端末から送信される着信先の電話番号が前記特定番号設定手段に設定された特定電話番号か否かを判別する特定番号判別手段と、前記着信先の電話番号が特定電話番号である場合、前記ＩＰ端末が接続された拠点のＩＰアドレスからサブネットを算出し、当該サブネットに基づいて呼を接続するＰＳＴＮゲートウェイ装置のＩＰアドレスを前記サブネット設定手段から決定する呼接続先決定手段と、を具備するようにしたものである。
【発明の効果】
【００１１】
本発明に係る呼接続管理装置は、ＩＰ端末から呼接続要求されたＰＳＴＮ端末の電話番号が特定電話番号の場合、そのＩＰ端末が移動した先の拠点に設置されたＰＨＳゲートウェイ装置のＩＰアドレスからサブネットを算出し、このサブネットを利用して呼を接続すべきＰＳＴＮゲートウェイを決定して、ＩＰ端末と特定電話番号のＰＳＴＮ端末との間の呼接続を可能にする。
【発明を実施するための最良の形態】
【００１２】
本発明の第１の態様に係る呼接続管理装置は、ＩＰ網に接続されたＩＰ端末から公衆回線網に接続されたＰＳＴＮ端末への呼接続要求に応じて呼を接続する呼接続管理装置であって、特定電話番号を設定する特定番号設定手段と、前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、前記呼接続要求時に前記ＩＰ端末から送信される着信先の電話番号が前記特定番号設定手段に設定された特定電話番号か否かを判別する特定番号判別手段と、前記着信先の電話番号が特定電話番号である場合、前記ＩＰ端末が接続された拠点のＩＰアドレスからサブネットを算出し、当該サブネットに基づいて呼を接続するＰＳＴＮゲートウェイ装置のＩＰアドレスを前記サブネット設定手段から決定する呼接続先決定手段と、を具備する構成を採る。
【００１３】
この構成によれば、ＩＰ端末から呼接続要求されたＰＳＴＮ端末の電話番号が特定電話番号の場合、そのＩＰ端末が接続された拠点に設置されたゲートウェイ装置のＩＰアドレスからサブネットを算出し、このサブネットを利用して呼を接続すべきＰＳＴＮゲートウェイを決定して、ＩＰ端末と特定電話番号のＰＳＴＮ端末との間の呼接続が可能になる。
【００１４】
本発明の第２の態様に係るゲートキーパ置は、ＩＰ網に接続されたＩＰ端末から公衆回線網に接続されたＰＳＴＮ端末への呼接続要求に応じて呼を接続するゲートキーパ装置であって、特定電話番号を設定する特定番号設定手段と、前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、前記呼接続要求時に前記ＩＰ端末から送信される着信先の電話番号が前記特定番号設定手段に設定された特定電話番号か否かを判別する特定番号判別手段と、前記着信先の電話番号が特定電話番号である場合、前記ＩＰ端末のＩＰアドレスからサブネットを算出し、当該サブネットに基づいて呼を接続するＰＳＴＮゲートウェイ装置のＩＰアドレスを前記サブネット設定手段から決定する呼接続先決定手段と、を具備する構成を採る。
【００１５】
この構成によれば、ＩＰ端末から呼接続要求されたＰＳＴＮ端末の電話番号が特定電話番号の場合、そのＩＰ端末が接続されたＩＰネットワーク内の拠点に設置されたゲートウェイ装置のＩＰアドレスからサブネットを算出し、このサブネットを利用して呼を接続すべき公衆回線網内の拠点に設置されたＰＳＴＮゲートウェイを決定して、ＩＰ端末と特定電話番号のＰＳＴＮ端末との間の呼接続が可能になる。
【００１６】
本発明の第３の態様は、第２の態様におけるゲートキーパ装置において、前記ＩＰ端末は、無線基地局を収容するＰＨＳゲートウェイ装置が設置された複数の拠点を移動する移動端末であり、前記呼接続先決定手段は、前記着信先の電話番号が特定電話番号である場合、前記ＩＰ端末が移動した拠点のＰＨＳゲートウェイ装置のＩＰアドレスからサブネットを算出し、当該サブネットに基づいて呼を接続するＰＳＴＮゲートウェイ装置のＩＰアドレスを前記サブネット設定手段から決定する構成を採る。
【００１７】
この構成によれば、移動先の拠点においてＩＰ端末から特定電話番号のＰＳＴＮ端末への呼接続要求された場合でも、その移動先拠点に設置されたゲートウェイ装置のＩＰアドレスからサブネットを算出し、このサブネットを利用して呼を接続すべき公衆回線網内の拠点に設置されたＰＳＴＮゲートウェイを決定して、ＩＰ端末と特定電話番号のＰＳＴＮ端末との間の呼接続が可能になる。
【００１８】
本発明の第４の態様は、第２の態様におけるゲートキーパ装置において、前記呼接続先決定手段は、前記着信先の電話番号が特定電話番号でない場合、前記ＩＰ端末のホーム拠点内のＰＳＴＮゲートウェイ装置のＩＰアドレスを呼の接続先として決定する。
【００１９】
この構成によれば、移動先の拠点においてＩＰ端末から特定電話番号でないＰＳＴＮ端末への呼接続要求された場合でも、ＩＰ端末と特定電話番号でないＰＳＴＮ端末との間の呼接続が可能になる。
【００２０】
本発明の第５の態様は、第２の態様に係るゲートキーパ装置において、前記ＩＰ端末が接続された拠点に、ＩＰセントレックス網に接続するセントレックスゲートウェイ装置を設置し、前記呼接続先決定手段は、前記着信先の電話番号が特定電話番号でない場合、前記セントレックスゲートウェイ装置のＩＰアドレスを呼の接続先として決定する構成を採る。
【００２１】
この構成によれば、ＩＰ端末から特定電話番号でないＰＳＴＮ端末への呼接続要求された場合は、ＩＰセントレックス網を経由して公衆回線網内の拠点のＰＳＴＮ端末との間の呼を接続することが可能になり、ＩＰセントレックス網を利用して通信コストの低減を図ることができる。
【００２２】
本発明の第６の態様に係るセントレックスゲートウェイ装置は、ＩＰ網に接続されたＩＰ端末から公衆回線網に接続されたＰＳＴＮ端末への呼接続要求に応じて呼を接続するとともに、ＩＰセントレックス網に接続するセントレックスゲートウェイ装置であって、特定電話番号を設定する特定番号設定手段と、前記ＩＰ端末が接続された拠点のサブネット情報と前記ＩＰ端末が接続された拠点に設置されたＰＳＴＮゲートウェイ装置のＩＰアドレス情報とを対応付けて設定するサブネット設定手段と、前記呼接続要求時に前記ＩＰ端末から送信される着信先の電話番号が前記特定番号設定手段に設定された特定電話番号か否かを判別する特定番号判別手段と、前記着信先の電話番号が特定電話番号である場合、前記ＩＰ端末のＩＰアドレスからサブネットを算出し、当該サブネットに基づいて呼を接続するＰＳＴＮゲートウェイ装置のＩＰアドレスを前記サブネット設定手段から決定する呼接続先決定手段と、を具備する構成を採る。
【００２３】
この構成によれば、ＩＰ端末から呼接続要求されたＰＳＴＮ端末の電話番号が特定電話番号の場合、そのＩＰ端末が接続されたＩＰネットワーク内の拠点に設置されたゲートウェイ装置のＩＰアドレスからサブネットを算出し、このサブネットを利用して呼を接続すべき公衆回線網内の拠点に設置されたＰＳＴＮゲートウェイを決定して、ＩＰ端末と特定電話番号のＰＳＴＮ端末との間の呼接続が可能になる。
【００２４】
本発明の第７の態様は、第６の態様に係るセントレックスゲートウェイ装置において、前記呼接続先決定手段は、前記着信先の電話番号が特定電話番号でない場合、着信先の前記ＰＳＴＮ端末に接続可能な前記ＩＰセントレックス網内の拠点に設置されたＩＰセントレックスゲートウェイ装置のＩＰアドレスを呼の接続先として決定する構成を採る。
【００２５】
この構成によれば、ＩＰ端末から特定電話番号でないＰＳＴＮ端末への呼接続要求された場合は、ＩＰセントレックス網を経由して公衆回線網内の拠点のＰＳＴＮ端末との間の呼を接続することが可能になり、ＩＰセントレックス網を利用して通信コストの低減を図ることができる。
【００２６】
以下、本発明の実施の形態について図面を参照して詳細に説明する。
【００２７】
図１は、本発明の実施の形態に係るＩＰ電話システムの全体構成を示す図である。図１において、ＩＰ電話システムは、例えば横浜にある拠点Ａと大阪にある拠点Ｂが、ＷＡＮ（Wide Area Network ）１０及び公衆回線網２０を介して相互に接続されている。
【００２８】
拠点Ａには、ゲートキーパ１００と、ＰＨＳゲートウェイ（ＰＨＳ−ＧＷ）２００と、ＰＳＴＮゲートウェイ（ＰＳＴＮ−ＧＷ）３００と、がネットワークＬ１を介して相互に接続されている。また、ＰＨＳゲートウェイ２００には２つの基地局２１０，２２０が接続され、ＰＳＴＮゲートウェイ３００には公衆回線網２０が接続されている。拠点Ａには、ＩＰ電話機能を備えたＰＨＳ端末７００が存在するものとする。
【００２９】
なお、ＰＨＳ端末７００のユーザは、普段は拠点Ａの通話区域を主に移動するものとし、ＰＨＳ端末７００にとって拠点Ａはホームとなる通話区域であるものとする。したがって、拠点ＡはＰＨＳ端末７００のホーム拠点Ａであり、拠点ＢはＰＨＳ端末７００にとって移動先拠点Ｂであるものとする。
【００３０】
移動先拠点Ｂには、ゲートキーパ４００と、ＰＳＴＮゲートウェイ（ＰＳＴＮ−ＧＷ）５００と、ＰＨＳゲートウェイ（ＰＨＳ−ＧＷ）６００と、がネットワークＬ２を介して相互に接続されている。また、ＰＨＳゲートウェイ６００には２つの基地局６１０，６２０が接続され、ＰＳＴＮゲートウェイ５００には公衆回線網２０が接続されている。
【００３１】
なお、ホーム拠点Ａと移動先拠点Ｂは、横浜と大阪等の離れた通話区域であり、図１で
は、ホーム拠点ＡにＰＨＳ端末７００が存在する場合と、移動先拠点ＢにＰＨＳ端末７００が移動した場合を示している。
【００３２】
また、公衆電話網２０内には、横浜の市外局番である０４５のメッセージエリア（ＭＡ１）や大阪の市外局番である０６のメッセージエリア（ＭＡ２）が含まれており、これらのＭＡ内に「１１０番」等の特定電話番号の端末が設置されているものとする。
【００３３】
ゲートキーパ１００（４００）は、ＰＨＳゲートウェイ２００（６００）のサブネットとＰＳＴＮゲートウェイ３００（５００）のＩＰアドレスを対応付けて記憶する後述するサブネットテーブル１０３１と、特定番号を記憶する後述する特定番号テーブル１０３２とを格納するメモリ１０３を備える。ゲートキーパ１００（４００）は、ＰＨＳゲートウェイ２００（６００）から着信先のダイヤル情報とＩＰアドレスを受信し、そのＩＰアドレスからＰＨＳゲートウェイ２００（６００）のサブネットを算出する機能と、このサブネットに基づいて呼の接続先となるＰＳＴＮゲートウェイ３００（５００）のＩＰアドレスをサブネットテーブル１０３１から決定してＰＨＳゲートウェイ２００（６００）に返送する機能等を有する。
【００３４】
ＰＨＳゲートウェイ２００（６００）は、ホーム拠点Ａ（移動先拠点Ｂ）内に設置された基地局２１０（６１０）及び２２０（６２０）を収容し、ゲートキーパ１００（４００）及びＰＳＴＮゲートウェイ３００（５００）との間で呼制御に係るＨ．３２３メッセージ又はＳＩＰ（Session Initiation Protocol ）メッセージを交換し、基地局２１０（６１０）及び２２０（６２０）の各無線通信エリア内に存在するＰＨＳ端末７００との間で無線通信メッセージを交換して、ＰＨＳ端末７００のＷＡＮ１０又は公衆回線網２０を介した発着信及び通話に係る通信制御を行う。
【００３５】
基地局２１０（６１０），２２０（６２０）は、ＰＨＳ端末７００との間で無線通信を確立してＰＨＳ端末７００とＰＨＳゲートウェイ２００（６００）との通信を可能とする。
【００３６】
ＰＨＳ端末７００は、電話番号（Ｅ．１６４アドレス）を有する電話端末であり、基地局２１０（６１０），２２０（６２０）を介してＰＨＳゲートウェイ２００（６００）と通信して、ＷＡＮ１０を介して他のＰＨＳ端末やＨ．３２３端末との通信を行う。また、ＰＨＳ端末７００は、携帯電話番号も有し、基地局２１０（６１０），２２０（６２０）を介してＰＨＳゲートウェイ２００（６００）と通信して、公衆回線網２０を介して他のＰＳＴＮ端末との通信を行う。なお、ＰＨＳ端末７００は、ＩＰ端末として機能する。
【００３７】
ＰＳＴＮ（Public Switched Telephone Networks）ゲートウェイ３００（５００）は、ＰＨＳゲートウェイ２００（６００）との間で呼制御に係るＨ．３２３メッセージ又はＳＩＰメッセージを交換し、基地局２１０（６１０）及び２２０（６２０）の各無線通信エリア内に存在するＰＨＳ端末７００との間で無線通信メッセージを交換して、ＰＨＳ端末７００のＷＡＮ１０又は公衆回線網２０を介した発着信及び通話に係る通信制御を行う。
【００３８】
図２は、本実施の形態のゲートキーパ１００の構成を示すブロック図である。なお、ゲートキーパ４００もゲートキーパ１００と同様の構成を有する。
【００３９】
図２において、ゲートキーパ１００は、ＣＰＵ１０１、呼接続制御部１０２、メモリ１０３及びＴＣＰ／ＩＰ制御部１０４により主に構成されている。
【００４０】
ＣＰＵ（Central Processing Unit ）１０１は、内蔵するＲＯＭ（Read Only Memory）（図示せず）に記憶された制御プログラムに基づいてゲートキーパ１００全体を制御する。また、ＣＰＵ１０１は、例えば、ＴＣＰ／ＩＰ制御部１０４によりＰＨＳゲートウェイ２００から受信したＩＰアドレスに基づいて、ＰＨＳゲートウェイ２００のサブネットを算出する処理と、そのサブネットに対応する接続先のＰＳＴＮゲートウェイのＩＰアドレスをメモリ１０３に格納されたサブネットテーブル１０３１から決定して呼接続制御部１０２に出力する処理を実行する。なお、ＣＰＵ１０１は、特定番号判別手段と呼接続先決定手段として機能する。
【００４１】
呼接続制御部１０２は、呼制御プログラムを記憶し、この呼接続制御プログラムに基づいてＰＨＳゲートウェイ２００との間の呼接続制御処理を実行する。呼接続制御部１０２は、例えば、ＣＰＵ１０１からＰＳＴＮゲートウェイ３００のＩＰアドレスが入力されると、そのＩＰアドレスに対する呼接続制御処理をＰＨＳゲートウェイ２００との間で実行する。
【００４２】
メモリ１０３は、図３に示すサブネットテーブル１０３１と、図４に示す特定番号テーブル１０３２を記憶する。図３のサブネットテーブル１０３１には、拠点Ａに存在するＰＨＳゲートウェイ２００に割り当てられたＩＰアドレスのサブネットと、同一拠点Ａに存在するＰＳＴＮゲートウェイ３００に割り当てられたＩＰアドレスを対応付けて記憶している。この場合は、サブネットとして「１９２．１６８．１．０」，「１９２．１６８．２．０」，「１９２．１６８．３．０」と、ＰＳＴＮゲートウェイ３００のＩＰアドレスとして「１９２．１６８．１．１０」，「１９２．１６８．１．１１」，「１９２．１６８．１．１１」が記憶されている。また、メモリ１０３には、ＰＨＳゲートウェイ２００のＩＰアドレスからサブネットを算出するためのサブネットマスクを記憶する。なお、サブネットテーブル１０３１は、サブネット設定手段として機能する。
【００４３】
図４の特定番号テーブル１０３２には、特定番号として「１１０」，「１１９」が記憶されている。これらの番号以外には、例えば、「０１２０」，「０５５０」等の特定番号も存在するが、本実施の形態では省略している。なお、特定番号テーブル１０３２は、特定番号設定手段として機能する。
【００４４】
ＴＣＰ／ＩＰ制御部１０４は、ＴＣＰ／ＩＰ制御プログラムを記憶し、このＴＣＰ／ＩＰ制御プログラムに基づいて、Ｈ．３２３プロトコル又はＳＩＰプロトコルに変換したメッセージをＰＨＳゲートウェイ２００との間で送受信する。
【００４５】
したがって、本実施の形態のゲートキーパ１００（４００）は、呼接続管理装置及びゲートキーパ装置として機能する。
【００４６】
次に、移動先拠点Ｂに移動したＰＨＳ端末７００からの発呼に対応するゲートキーパ４００の処理について、図５に示すフローチャートを参照して説明する。なお、ゲートキーパ１００も図５の処理を同様に実行する。
【００４７】
図５のステップＳ５０１において、ゲートキーパ４００は、移動先拠点Ｂ内のＰＨＳゲートウェイ６００からの発信を検出する。この時、ゲートキーパ４００は、ＴＣＰ／ＩＰ制御部１０４によりＰＨＳゲートウェイ６００から着信先のダイヤル情報とＰＨＳゲートウェイ６００のＩＰアドレスを受信する。
【００４８】
次に、ゲートキーパ４００のＣＰＵ１０１は、図４の特定番号テーブル１０３２を参照して、受信した着信先ダイヤル情報が特定番号と一致するか否かを判別する（ステップＳ５０２）。受信した着信先ダイヤル情報が特定番号と一致すると判別した場合（ステップＳ５０２：ＹＥＳ）、ステップＳ５０３に移行する。
【００４９】
そして、ステップＳ５０３において、ＣＰＵ１０１は、ステップＳ５０１で受信したＰＨＳゲートウェイ６００のＩＰアドレスと、メモリ１０３に記憶されたサブネットマスクに基づいて、ＰＨＳゲートウェイ６００のサブネットを算出する。次に、ＣＰＵ１０１は、図３のサブネットテーブル１０３１を参照して、算出したサブネットに対応する接続先のＰＳＴＮゲートウェイのＩＰアドレスを決定する（ステップＳ５０４）。
【００５０】
以上の処理により、移動先拠点ＢにおいてＰＨＳ端末７００が特定番号を発呼した際に、その移動先拠点Ｂに接続されたＰＨＳゲートウェイ６００のサブネットから特定番号に対して接続すべきＰＳＴＮゲートウェイ５００が決定される。
【００５１】
次に、ＣＰＵ１０１は、ステップＳ５０１で受信した着信先ダイヤル情報を含む発信メッセージをＴＣＰ／ＩＰ制御部１０４がＰＳＴＮゲートウェイ５００を介して公衆回線網２０内の着信先ＰＳＴＮ端末に送出して（ステップＳ５０５）、本処理を終了する。
【００５２】
また、ステップＳ５０２において、ＣＰＵ１０１は、受信した着信先ダイヤル情報が特定番号と一致しないと判別した場合（ステップＳ５０２：ＮＯ）、ステップＳ５０６に移行して、ホーム拠点ＡのＰＳＴＮゲートウェイ３００へ上記着信先ダイヤル情報とＰＨＳゲートウェイ６００のＩＰアドレスを含む発信メッセージをＴＣＰ／ＩＰ制御部１０４がＰＳＴＮゲートウェイ３００を介して送出し、本処理を終了する。
【００５３】
次に、以上の構成及び機能を有するＩＰ電話システムにおいて、Ｈ．３２３プロトコルを用いた場合の具体的な動作について、図６に示すシーケンス図を用いて説明する。この場合、ホーム拠点Ａから移動先拠点Ｂに移動したＰＨＳ端末７００が特定番号である「１１０」に発呼する際の動作について説明する。
【００５４】
図６において、ＰＨＳゲートウェイ６００は、ＰＨＳ端末７００から発信先のダイヤル情報（１１０番）が設定されたＳＥＴＵＰ（呼設定）メッセージを受信すると（ステップＳ６０１）、その発信元ＰＨＳ端末７００のダイヤル情報、着信先ダイヤル情報及びＰＨＳゲートウェイ６００のＩＰアドレスを設定したＡＲＱ（Admission Request ：参加要求）メッセージをゲートキーパ４００に送出する（ステップＳ６０２）。
【００５５】
次に、ゲートキーパ４００は、上記図５に示した処理により受信した着信先ダイヤル情報が特定番号かを判断し、この場合、１１０番であるので特定番号と判断し、ＰＨＳゲートウェイ６００のＩＰアドレスからサブネットを算出し、このサブネットから発信側となるＰＳＴＮゲートウェイ（この場合、移動先拠点ＢのＰＳＴＮゲートウェイ５００）のＩＰアドレスを決定する（ステップＳ６０３）。
【００５６】
この処理により、移動先拠点ＢにおいてＰＨＳ端末７００が特定番号（１１０番）を発呼した際に、その移動先拠点Ｂに接続されたＰＨＳゲートウェイ６００のサブネットから着信先の特定番号に対して接続すべきＰＳＴＮゲートウェイ５００が決定される。
【００５７】
次に、ゲートキーパ４００は、ＰＳＴＮゲートウェイ５００のＩＰアドレスを設定したＡＣＦ（Admisson Confirm：許可確認）メッセージをＰＨＳゲートウェイ６００に返送する（ステップＳ６０４）。次に、ＰＨＳゲートウェイ６００は、ゲートキーパ４００からＡＣＦ（許可確認）メッセージを受け付けると、ＣＡＬＬ  ＰＲＯＣ（CALL PROCEEDING ：呼設定受付）メッセージをＰＨＳ端末７００に返送する（ステップＳ６０５）。
【００５８】
次に、ＰＨＳゲートウェイ６００は、ゲートキーパ４００から受信したＰＳＴＮゲートウェイ５００のＩＰアドレスに向けて着信先ＰＳＴＮ端末のダイヤル情報を設定したＳＥＴＵＰ（呼設定）メッセージを送出する（ステップＳ６０６）。次に、ＰＳＴＮゲートウェイ５００は、ＰＨＳゲートウェイ６００から受信したＳＥＴＵＰ（呼設定）メッセージを特定番号端末を収容する公衆回線網２０に送出する（ステップＳ６０７）。
【００５９】
次に、ＰＳＴＮゲートウェイ５００は、ＳＥＴＵＰ（呼設定）メッセージへの応答であるＣＡＬＬ  ＰＲＯＣ（呼設定受付）メッセージを公衆回線網２０から受信する（ステップＳ６０８）。
【００６０】
次に、ＰＳＴＮゲートウェイ５００は、ＣＡＬＬ  ＰＲＯＣ（呼設定受付）メッセージを受信すると、次に、ＰＳＴＮゲートウェイ５００は、公衆回線網２０から受信したＣＡＬＬ  ＰＲＯＣ（呼設定受付）メッセージを発信先のＰＨＳゲートウェイ６００に送出する（ステップＳ６０９）。
【００６１】
着信先ＰＳＴＮ端末が着信音等を鳴動して着呼をユーザに知らせると、ＡＬＥＲＴ（呼出中）メッセージが公衆回線網２０からＰＳＴＮゲートウェイ５００に送出される（ステップＳ６１０）。次に、ＰＳＴＮゲートウェイ５００は、ＡＬＥＲＴ（呼出中）メッセージを受信すると、そのＡＬＥＲＴ（呼出中）メッセージをＰＨＳゲートウェイ６００に送出する（ステップＳ６１１）。次に、ＰＨＳゲートウェイ６００は、ＰＳＴＮゲートウェイ５００からＡＬＥＲＴ（呼出中）メッセージを受け付けると、そのＡＬＥＲＴ（呼出中）メッセージをＰＨＳ端末７００に送出する（ステップＳ６１２）。ＰＨＳ端末７００は、ＰＨＳゲートウェイ６００からＡＬＥＲＴ（呼出中）メッセージを受け付けることにより、着信先が呼出中であることを確認する。
【００６２】
次に、着信先ＰＳＴＮ端末がユーザによりハンドセットがオフフックされると、ＣＯＮＮ（接続）メッセージが公衆回線網２０からＰＳＴＮゲートウェイ５００に送出される（ステップＳ６１３）。次に、ＰＳＴＮゲートウェイ５００は、着信先ＰＳＴＮ端末から受信したＣＯＮＮ（接続）メッセージをＰＨＳゲートウェイ６００に送出する（ステップＳ６１４）。
【００６３】
次に、ＰＨＳゲートウェイ６００は、ＰＳＴＮゲートウェイ５００からＣＯＮＮ（接続）メッセージを受け付けると、そのＣＯＮＮ（接続）メッセージをＰＨＳ端末７００に送出する（ステップＳ６１５）。以後、ＰＨＳ端末７００は、着信先ＰＳＴＮ端末との通話を開始する。
【００６４】
以上のように、ＰＨＳ端末７００は、移動先拠点Ｂにおいて特定番号のＰＳＴＮ端末に発呼した場合に、移動先拠点Ｂのゲートキーパ４００は、ＰＨＳ端末７００の発呼を受け付けるＰＨＳゲートウェイ６００のＩＰアドレスからサブネットを算出し、このサブネットから移動先拠点ＢのＰＳＴＮゲートウェイを決定するため、横浜から大阪に移動してきたＰＨＳ端末から１１０番通報を行った際に、横浜の警察（１１０番）に発呼するということがなく最寄の大阪の警察(１１０番)に発呼することができる。
【００６５】
次に、ＳＩＰプロトコルを用いた場合の具体的な動作について、図７に示すシーケンス図を用いて説明する。この場合、ホーム拠点Ａから移動先拠点Ｂに移動したＰＨＳ端末７００が特定番号に発呼する際の動作について説明する。
【００６６】
図７において、ＰＨＳゲートウェイ６００は、ＰＨＳ端末７００から発信先のダイヤル情報が設定されたＳＥＴＵＰ（呼設定）メッセージを受信すると（ステップＳ７０１）、その発信元ＰＨＳ端末７００のダイヤル情報、着信先ダイヤル情報及びＰＨＳゲートウェイ６００のＩＰアドレスを設定したＩＮＶＩＴＥメッセージをゲートキーパ４００に送出する（ステップＳ７０２）。
【００６７】
次に、ゲートキーパ４００は、ＰＨＳゲートウェイ６００からＩＮＶＩＴＥメッセージを受け付けると、１００Ｔｒｙｉｎｇ（試行中）メッセージをＰＨＳゲートウェイ６００に返送する（ステップＳ７０３）。ＰＨＳゲートウェイ６００は、ゲートキーパ４００から１００Ｔｒｙｉｎｇ（試行中）メッセージを受け付けると、ＣＡＬＬ  ＰＲＯＣ（呼設定受付）メッセージをＰＨＳ端末７００に返送する（ステップＳ７０４）。
【００６８】
次に、ゲートキーパ４００は、上記図５に示した処理により受信した着信先ダイヤル情報が特定番号かを判断し、特定番号である場合に、ＰＨＳゲートウェイ６００のＩＰアドレスからサブネットを算出し、このサブネットから接続先となる着信先ＰＳＴＮゲートウェイ（例えば、図１の拠点Ｃに設置されたＰＳＴＮゲートウェイ）のＩＰアドレスを決定する（ステップＳ７０５）。
【００６９】
この処理により、移動先拠点ＢにおいてＰＨＳ端末７００が特定番号を発呼した際に、その移動先拠点Ｂに接続されたＰＨＳゲートウェイ６００のサブネットから着信先の特定番号に対して接続すべきＰＳＴＮゲートウェイが決定される（この場合、移動先拠点ＢのＰＳＴＮゲートウェイ５００が決定される）。
【００７０】
次に、ゲートキーパ４００は、着信先ＰＳＴＮ端末のダイヤル情報を設定したＩＮＶＩＴＥメッセージをＰＳＴＮゲートウェイ５００に送出する（ステップＳ７０６）。ＰＳＴＮゲートウェイ５００は、ゲートキーパ４００からＩＮＶＩＴＥメッセージを受け付けると、そのＩＮＶＩＴＥメッセージからダイヤル情報を取り出し、そのダイヤル情報を設定したＳＥＴＵＰ（呼設定）メッセージを特定番号端末を収容する公衆回線網２０に送出する（ステップＳ７０７）。
【００７１】
次に、ＰＳＴＮゲートウェイ５００は、公衆回線網２０からＣＡＬＬ  ＰＲＯＣ（呼設定受付）メッセージを受信すると（ステップＳ７０８）、１００Ｔｒｙｉｎｇ（試行中）メッセージをゲートキーパ４００に送出する（ステップＳ７０９）。
【００７２】
次に、着信先ＰＳＴＮ端末が着信音等を鳴動して着呼をユーザに知らせると、ＡＬＥＲＴ（呼出中）メッセージを公衆回線網２０からＰＳＴＮゲートウェイ５００に送出される（ステップＳ７１０）。次に、ＰＳＴＮゲートウェイ５００は、ＡＬＥＲＴ（呼出中）メッセージを受け付けると、１８３Ｓｅｓｓｉｏｎ  Ｐｒｏｇｒｅｓｓ（呼出中）メッセージをゲートキーパ４００に送出する（ステップＳ７１１）。ゲートキーパ４００は、ＰＳＴＮゲートウェイ５００から１８３Ｓｅｓｓｉｏｎ  Ｐｒｏｇｒｅｓｓ（呼出中）メッセージを受け付けると、その１８３Ｓｅｓｓｉｏｎ  Ｐｒｏｇｒｅｓｓ（呼出中）メッセージを発信先のＰＨＳゲートウェイ６００に送出する（ステップＳ７１２）。
【００７３】
次に、ＰＨＳゲートウェイ６００は、ゲートキーパ４００から１８３Ｓｅｓｓｉｏｎ  Ｐｒｏｇｒｅｓｓ（呼出中）メッセージを受け付けると、ＰＲＯＧＲＥＳＳ（経過表示）メッセージをＰＨＳ端末７００に送出する（ステップＳ７１３）。ＰＨＳ端末７００は、ＰＨＳゲートウェイ６００からＰＲＯＧＲＥＳＳ（経過表示）メッセージを受け付けることにより、着信先が呼出中であることを確認する。
【００７４】
次に、着信先ＰＳＴＮ端末が、ユーザによりハンドセットがオフフックされると、ＣＯＮＮ（接続）メッセージが公衆回線網２０からＰＳＴＮゲートウェイ５００に送出される（ステップＳ７１４）。
【００７５】
次に、ＰＳＴＮゲートウェイ５００は、公衆回線網２０からＣＯＮＮ（接続）メッセージを受信すると、２００ＯＫメッセージをゲートキーパ４００に送出する（ステップＳ７１５）。
【００７６】
次に、ゲートキーパ４００は、ＰＳＴＮゲートウェイ５００から受信した２００ＯＫメッセージを発信先のＰＨＳゲートウェイ６００に送出する（ステップＳ７１６）。次に、
ＰＨＳゲートウェイ６００は、ゲートキーパ４００から２００ＯＫメッセージを受け付けると、発信先のＰＨＳ端末７００にＣＯＮＮ（接続）メッセージを送出する（ステップＳ７１７）。以後、ＰＨＳ端末７００は、着信先ＰＳＴＮ端末との通話を開始する。
【００７７】
以上のように、ＰＨＳ端末７００は、移動先拠点Ｂにおいて特定番号のＰＳＴＮ端末に発呼した場合に、移動先拠点Ｂのゲートキーパ４００は、ＰＨＳ端末７００の発呼を受け付けるＰＨＳゲートウェイ６００のＩＰアドレスからサブネットを算出し、このサブネットから移動先拠点ＢのＰＳＴＮゲートウェイを決定するため、横浜から大阪に移動してきたＰＨＳ端末から１１０番通報を行った際に、横浜の警察（１１０番）に発呼するということがなく最寄の大阪の警察（１１０番）に発呼ことができる。
【００７８】
なお、着信先ＰＳＴＮ端末が特定番号でない場合は、移動先の大阪から発呼したときも横浜にあるホーム拠点ＡのＰＳＴＮゲートウェイ３００からＰＳＴＮ網に発信される。
【００７９】
なお、上記実施の形態では、移動端末がＰＨＳ端末である場合を示したが、携帯電話端末でも適用可能である。また、移動端末に限らず固定の電話機が引っ越し等により拠点を移動した場合でも、電話機をＬＡＮ接続すれば、移動先の拠点毎に設置されているＰＳＴＮゲートウェイから特定番号に発呼することが可能である。
【００８０】
なお、上記実施の形態では、本発明の呼接続管理装置として動作するゲートキーパ装置について説明したが、図２に示すゲートキーパ装置と同様の構成を備えたセントレックスゲートウェイ装置であってもよい。この場合は、図１に示すゲートキーパ装置１００、４００がセントレックスゲートウェイ装置に置き換わる。そして、いったんＩＰセントレックス網を経由してＰＳＴＮ網に接続することになる。
【００８１】
さらに、図８に示すように拠点内にゲートキーパ装置と合わせてセントレックスゲートウェイ装置が設置されている場合も、上記実施の形態のようにして特定番号端末への発呼が行われる点は同じであるが、特定番号端末ではないＰＳＴＮ端末に発呼する際には、ＩＰ端末からセントレックスゲートウェイ装置を経由してＩＰセントレックス網からＰＳＴＮ網に接続される点が異なる。
【００８２】
なお、このときのセントレックスゲートウェイ装置８００、９００の構成も図２のゲートキーパ装置の構成と同じとなる。
【００８３】
また、図８のゲートキーパ装置やセントレックスゲートウェイ装置が複数の拠点で一つしか設置されていない場合も考えられるが、その場合には、複数拠点の呼制御をゲートキーパ装置あるいはセントレックスゲートウェイ装置が行うこととなる。例えば、拠点Ｂのゲートキーパ装置４００がなかった場合、ゲートキーパ４００に代わって拠点Ａのゲートキーパ１００が同様の処理を実行することで、ＩＰ端末の移動先拠点ＢのＰＳＴＮゲートウェイ５００を選択して特定番号端末への発呼を行うことができる。拠点Ｂのセントレックスゲートウェイ装置９００がなかった場合も拠点Ａのセントレックスゲートウェイ装置８００が同様の処理を実行することで、ＩＰセントレックス網からＰＳＴＮ網に接続することができる。
【産業上の利用可能性】
【００８４】
本発明に係る呼接続管理装置、ゲートキーパ装置及びセントレックスゲートウェイ装置によれば、ＩＰ端末と特定番号のＰＳＴＮ端末との間の呼を接続することができ、ＩＰセントレックス網の利用も可能にするＩＰ電話システムを提供できる点で有用である。
【図面の簡単な説明】
【００８５】
【図１】本発明を適用した実施の形態に係るＩＰ電話システムの構成を示す図
【図２】本実施の形態に係るゲートキーパの構成を示すブロック図
【図３】本実施の形態に係るサブネットテーブルの一例を示す図
【図４】本実施の形態に係る特定番号テーブルの一例を示す図
【図５】本実施の形態に係るゲートキーパにおけるＰＨＳ端末からの発呼に対応する動作を説明するためのフローチャート
【図６】本実施の形態に係るＩＰ電話システムにおいて、Ｈ．３２３プロトコルを用いてＰＨＳ端末が特定番号に発呼する際の動作を説明するためのシーケンス図
【図７】本実施の形態に係るＩＰ電話システムにおいて、ＳＩＰプロトコルを用いてＰＨＳ端末が特定番号に発呼する際の動作を説明するためのシーケンス図
【図８】本発明を適用した別のＩＰ電話システムの構成を示す図
【符号の説明】
【００８６】
１０  ＷＡＮ
２０  公衆回線網
３０  ＩＰセントレックス網
１００、４００  ゲートキーパ
１０１  ＣＰＵ
１０２  呼接続制御部
１０３  メモリ
１０４  ＴＣＰ／ＩＰ制御部
２００、６００  ＰＨＳゲートウェイ
２１０、２２０、６１０、６２０  基地局
３００、５００  ＰＳＴＮゲートウェイ
７００  ＰＨＳ端末
８００、９００  セントレックスゲートウェイ
１０３１  サブネットテーブル
１０３２  特定番号テーブル
【図１】
2006033516.tif 000003
【図２】
2006033516.tif 000004
【図３】
2006033516.tif 000005
【図４】
2006033516.tif 000006
【図５】
2006033516.tif 000007
【図６】
2006033516.tif 000008
【図７】
2006033516.tif 000009
【図８】
2006033516.tif 000010